(57)【要約】【課題】大規模な施設であっても、管理ポイント設定時の作業負担および設定ミスを低減する。【解決手段】管理ポイント設定部２１が、選択操作に応じて、診断パラメータごとに、ポイント情報から、当該管理ポイントで得られた計測値データの値範囲が当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択し、これら管理ポイントを当該診断パラメータと対応付けて管理ポイント設定画面に一覧表示し、登録操作に応じて、管理ポイント設定画面の表示内容に基づき、候補として選択されている管理ポイントを、対応する診断パラメータのそれぞれに紐付けて登録する。【選択図】  図１
2014041400.tif 000002
【特許請求の範囲】
【請求項１】
施設内の各設備を管理する施設管理装置から取得した、当該設備に対して予め設定した管理ポイントで得られた計測値データに基づいて、前記設備の動作状況を診断する設備診断装置であって、
前記施設管理装置から、前記管理ポイントの系統、アドレス、および名称を含むポイント情報とを取得するデータ取得部と、
前記計測値データのうち、前記設備の動作状況を診断する際に用いる計測値データごとに、当該計測値データの計測値範囲、当該計測値データが得られる管理ポイントのポイント種別、および当該管理ポイントのポイント名称を特定するための診断パラメータ名からなる属性値を含む診断パラメータを記憶する記憶部と、
オペレータによる選択操作に応じて、前記診断パラメータごとに、前記ポイント情報に含まれる各管理ポイントのうちから、当該管理ポイントで得られた計測値データの値範囲が当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択し、これら管理ポイントを当該診断パラメータと対応付けて管理ポイント設定画面に一覧表示する管理ポイント設定部と、
オペレータによる編集操作に応じて、前記管理ポイント設定画面に表示した候補となる管理ポイントの属性値を編集する設定編集部とを備え、
前記管理ポイント設定部は、オペレータによる登録操作に応じて、前記管理ポイント設定画面の表示内容に基づき、候補として選択されている管理ポイントを、対応する診断パラメータのそれぞれに紐付けて登録する
ことを特徴とする設備診断装置。
【請求項２】
請求項１に記載の設備診断装置において、
オペレータによる周辺情報表示要求操作に応じて、ポイントアドレスが、上位規定桁数分について、当該周辺情報表示要求操作で指定された管理ポイントのポイントアドレスと等しい管理ポイントを、前記ポイント情報から検索し、得られた管理ポイントの一覧を当該管理ポイントの周辺情報として、ポップアップ表示する周辺情報表示部を、さらに備えることを特徴とする設備診断装置。
【請求項３】
請求項１に記載の設備診断装置において、
オペレータによる他候補情報表示要求操作に応じて、当該他候補情報表示要求操作で指定された管理ポイントのポイント名称と類似するポイント名称を有する管理ポイントをポイント情報３１から検索し、得られた管理ポイントの一覧を当該管理ポイントの他候補情報として、ポップアップ表示する他候補情報表示部を、さらに備えることを特徴とする設備診断装置。
【請求項４】
施設内の各設備を管理する施設管理装置から取得した、当該設備に対して予め設定した管理ポイントで得られた計測値データに基づいて、前記設備の動作状況を診断する設備診断装置で用いられる管理ポイント設定方法であって、
データ取得部が、前記施設管理装置から、前記管理ポイントの系統、アドレス、および名称を含むポイント情報とを取得するデータ取得ステップと、
記憶部が、前記計測値データのうち、前記設備の動作状況を診断する際に用いる計測値データごとに、当該計測値データの計測値範囲、当該計測値データが得られる管理ポイントのポイント種別、および当該管理ポイントのポイント名称を特定するための診断パラメータ名からなる属性値を含む診断パラメータを記憶する記憶ステップと、
管理ポイント設定部が、オペレータによる選択操作に応じて、前記診断パラメータごとに、前記ポイント情報に含まれる各管理ポイントのうちから、当該管理ポイントで得られた計測値データの値範囲が当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択し、これら管理ポイントを当該診断パラメータと対応付けて管理ポイント設定画面に一覧表示する管理ポイント設定ステップと、
設定編集部が、オペレータによる編集操作に応じて、前記管理ポイント設定画面に表示した候補となる管理ポイントの属性値を編集する設定編集ステップとを備え、
前記管理ポイント設定ステップは、オペレータによる登録操作に応じて、前記管理ポイント設定画面の表示内容に基づき、候補として選択されている管理ポイントを、対応する診断パラメータのそれぞれに紐付けて登録する
ことを特徴とする管理ポイント設定方法。
【発明の詳細な説明】
【技術分野】
【０００１】
本発明は、施設管理技術に関し、特に施設内の設備に対して設定されている既存の管理ポイントを、設備診断装置で利用する際に用いる管理ポイント設定技術に関する。
【背景技術】
【０００２】
テナントビル、病院、学校、商業施設などの大規模な施設では、施設に設けられた、空調、照明、防犯、防災などの各設備について、施設管理装置により、常時、設備状況を監視している。
このような施設管理装置では、監視対象となる管理ポイントを各設備に予め設定し、これら管理ポイントから取得したデータを、設備の状況を監視画面に表示するものとなっている（例えば、特許文献１など参照）。
【０００３】
また、設備の管理ポイントについては、名称、アドレス、ポイント種別（ＯＮ／ＯＦＦの発停、アナログデータ、警報データ、エネルギーデータ）、データ値の単位などの各種ポイント情報が、オペレータにより予め設定される。これら管理ポイントに対するポイント情報を設定する際、管理ポイント間の関係が容易に把握できるよう、一定の設定ルールに基づきポイント情報が設定される。例えば、アドレスについては、施設を分割管理する系統ごとに階層的に設定し、名称については、予め統一化された設備の名称を用いるものとなっている。特に、管理ポイントの名称については、「ＴＳＣ２１推進協議会」において、データ表記・命名規定などが策定されて公開されており、これら規定に基づき設定されつつある。
【先行技術文献】
【特許文献】
【０００４】
【特許文献１】特開２００４−３４１５９８号公報
【特許文献２】特許第４８７３９８５号公報
【発明の概要】
【発明が解決しようとする課題】
【０００５】
近年、省エネルギーに対する意識の高まりに応じて、設備の運転操作や運転状態を監視する設備監視システム（ＢＡＳ）やエネルギー消費状況を見える化するエネルギー管理システム（ＢＥＭＳ）、さらには、施設における非合理なエネルギー消費状態を回避するため、このような非合理なエネルギー消費状態をフォルトとして検知するフォルト検知装置の導入が進められている（例えば、特許文献２など参照）。
このような設備の動作状況を診断する設備診断装置では、予め定めた診断パラメータに基づいて、設備に設定されている各管理ポイントからデータを取得し、これらデータを集計して予め定めた診断ロジックに基づき動作状況を判定し、改善すべき状況が検知された場合には、警報表示して状況解消のための作業を促すものとなっている。
【０００６】
設備診断装置を新たに導入して診断ロジックを新規に設定する場合、あるいは診断ロジックを変更する場合、当該診断ロジックで診断する施設側の管理ポイントを、診断パラメータに基づいて設定する必要がある。
この場合、施設管理装置で設定した管理ポイントを、設備診断装置で利用することができるため、診断パラメータに基づいて、既存の管理ポイントを診断ロジックに紐付けすればよい。
【０００７】
このような設備診断装置における管理ポイント設定作業は、施設管理装置から取得した管理ポイント情報を画面に一覧表示し、そのうちから診断パラメータに基づいて、診断ロジックで用いる管理ポイントを選択することになる。
この際、施設規模が小さくて管理ポイントの数も少ない場合には、一覧表示のうちから所望の管理ポイントをスムーズに選択できるものの、テナントビル、病院、学校、商業施設などの大規模な施設では、管理ポイントの数が数万点にもなるため、管理ポイントの選択に要する作業負担が増大し、設定ミスなどを誘発する原因となるという問題点があった。
【０００８】
本発明はこのような課題を解決するためのものであり、大規模な施設であっても、管理ポイント設定時の作業負担および設定ミスを低減できる管理ポイント設定技術を提供することを目的としている。
【課題を解決するための手段】
【０００９】
このような目的を達成するために、本発明にかかる設備診断装置は、施設内の各設備を管理する施設管理装置から取得した、当該設備に対して予め設定した管理ポイントで得られた計測値データに基づいて、前記設備の動作状況を診断する設備診断装置であって、前記施設管理装置から、前記管理ポイントの系統、アドレス、および名称を含むポイント情報とを取得するデータ取得部と、前記計測値データのうち、前記設備の動作状況を診断する際に用いる計測値データごとに、当該計測値データの計測値範囲、当該計測値データが得られる管理ポイントのポイント種別、および当該管理ポイントのポイント名称を特定するための診断パラメータ名からなる属性値を含む診断パラメータを記憶する記憶部と、オペレータによる選択操作に応じて、前記診断パラメータごとに、前記ポイント情報に含まれる各管理ポイントのうちから、当該管理ポイントで得られた計測値データの値範囲が当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択し、これら管理ポイントを当該診断パラメータと対応付けて管理ポイント設定画面に一覧表示する管理ポイント設定部と、オペレータによる編集操作に応じて、前記管理ポイント設定画面に表示した候補となる管理ポイントの属性値を編集する設定編集部とを備え、前記管理ポイント設定部は、オペレータによる登録操作に応じて、前記管理ポイント設定画面の表示内容に基づき、候補として選択されている管理ポイントを、対応する診断パラメータのそれぞれに紐付けて登録するようにしたものである。
【００１０】
また、上記設備診断装置の一構成例は、オペレータによる周辺情報表示要求操作に応じて、ポイントアドレスが、上位規定桁数分について、当該周辺情報表示要求操作で指定された管理ポイントのポイントアドレスと等しい管理ポイントを、前記ポイント情報から検索し、得られた管理ポイントの一覧を当該管理ポイントの周辺情報として、ポップアップ表示する周辺情報表示部を、さらに備えるものである。
【００１１】
また、上記設備診断装置の一構成例は、オペレータによる他候補情報表示要求操作に応じて、当該他候補情報表示要求操作で指定された管理ポイントのポイント名称と類似するポイント名称を有する管理ポイントをポイント情報３１から検索し、得られた管理ポイントの一覧を当該管理ポイントの他候補情報として、ポップアップ表示する他候補情報表示部を、さらに備えるものである。
【００１２】
また、本発明にかかる管理ポイント設定方法は、施設内の各設備を管理する施設管理装置から取得した、当該設備に対して予め設定した管理ポイントで得られた計測値データに基づいて、前記設備の動作状況を診断する設備診断装置で用いられる管理ポイント設定方法であって、データ取得部が、前記施設管理装置から、前記管理ポイントの系統、アドレス、および名称を含むポイント情報とを取得するデータ取得ステップと、記憶部が、前記計測値データのうち、前記設備の動作状況を診断する際に用いる計測値データごとに、当該計測値データの計測値範囲、当該計測値データが得られる管理ポイントのポイント種別、および当該管理ポイントのポイント名称を特定するための診断パラメータ名からなる属性値を含む診断パラメータを記憶する記憶ステップと、管理ポイント設定部が、オペレータによる選択操作に応じて、前記診断パラメータごとに、前記ポイント情報に含まれる各管理ポイントのうちから、当該管理ポイントで得られた計測値データの値範囲が当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択し、これら管理ポイントを当該診断パラメータと対応付けて管理ポイント設定画面に一覧表示する管理ポイント設定ステップと、設定編集部が、オペレータによる編集操作に応じて、前記管理ポイント設定画面に表示した候補となる管理ポイントの属性値を編集する設定編集ステップとを備え、前記管理ポイント設定ステップは、オペレータによる登録操作に応じて、前記管理ポイント設定画面の表示内容に基づき、候補として選択されている管理ポイントを、対応する診断パラメータのそれぞれに紐付けて登録するようにしたものである。
【発明の効果】
【００１３】
本発明によれば、管理ポイントの物理属性と計装属性との組合せにより、管理ポイントを正確に選択することができ、大規模な施設であっても、管理ポイント設定時の作業負担および設定ミスを低減することが可能となる。
【図面の簡単な説明】
【００１４】
【図１】設備診断装置の構成を示すブロック図である。
【図２】ポイント情報の構成例である。
【図３】診断パラメータの構成例である。
【図４】管理ポイント設定処理を示すフローチャートである。
【図５】管理ポイント設定画面の表示例である。
【図６】周辺情報表示画面の表示例である。
【図７】他候補情報表示画面の表示例である。
【発明を実施するための形態】
【００１５】
［発明の原理］
施設管理装置で設定した管理ポイントを、設備診断装置で利用するため、施設管理装置から取得したポイント情報から、診断ロジックで診断する計測値データが得られる管理ポイントを自動選択する場合、大規模な施設では、類似する管理ポイントが複数存在するため、診断ロジックの診断パラメータに基づいて、対応する管理ポイントを正確に選択する必要がある。
【００１６】
ここで、ポイント情報のうち、ポイント名称は、管理ポイントを区別する情報として最も有効であるが、実際には、現場ごとに命名ルールが厳密に取り決められていることは希であり、また命名ルールがあったとしても、継続して運用することが難しい。その理由は、次の事情による。
【００１７】
１．命名ルールを決定するための詳細情報、特に系統名称などは、建築作業の進捗に応じて逐次取り決められていくことが常であり、予めすべての詳細情報が得られるわけではない。
２．計装エンジニアリング作業では、現場ごとの状況に違いはあるものの、管理ポイントの設定要請が大量に発生するため、複数のエンジニアリング担当者で作業を分担する事が多い。
３．名称に対する長さの制約に起因して、略称の入力が発生する。
４．管理ポイントの追加や変更が工事進捗に従って、随時発生する。
５．計装システムを正常動作させるためには、ポイント種別（アナログ点、デジタル点、積算点）の正確性は必要であるが、ポイント名称や単位の正確性は要求されていない。
【００１８】
一方、ポイント名称には、その管理ポイントの物理的な実装場所であったり、管理ポイントの意味・目的・計測内容が含まれており、エンジニアリング担当者にとって、所望のポイントかどうかを判別するための重要な情報が含まれている。
【００１９】
管理ポイント設定作業において、このような状況がある中で、ポイント情報の内容を検証した場合、ポイント情報には、当該管理ポイントで得られる計測値の範囲や、当該管理ポイントで得られるデータの種別を示すポイント種別など、属性値として偶然性が含まれておらずまた計装工事の性質も反映されていない物理属性が登録されている。
同じく、ポイント情報には、当該管理ポイントのポイント名称や、当該管理ポイントで得られるデータの単位など、属性値として偶然性が含まれるとともに計装工事の性質も反映されている計装属性が登録されている。
【００２０】
本発明は、このような管理ポイントのポイント情報に、性質の異なる属性情報が含まれていることに着目し、診断ロジックで診断する計測値データをそれぞれ特定する診断パラメータで、当該計測値データが得られる管理ポイントの物理属性および計装属性を予め設定しておき、施設管理装置から取得したポイント情報のうちから、診断パラメータで指定された物理属性および計装属性の組合せに基づいて、診断ロジックで用いる管理ポイントを自動的に選択するようにしたものである。
【００２１】
［実施の形態の説明］
次に、本発明の一実施の形態について図面を参照して説明する。
まず、図１を参照して、本発明の一実施の形態にかかる設備診断装置１０について説明する。図１は、設備診断装置の構成を示すブロック図である。
【００２２】
設備診断装置１０は、全体としてサーバ装置やパーソナルコンピュータなどの情報処理装置からなり、通信回線Ｌ１を介したデータ通信により、施設管理装置３０から取得したポイント情報３１および計測値データ３２に基づいて、設備の動作状況を診断する機能を有している。
【００２３】
施設管理装置３０は、全体としてサーバ装置やパーソナルコンピュータなどの情報処理装置からなり、ポイント情報３１に基づいて、通信回線Ｌ３を介したデータ通信により、設備４０に設定した各管理ポイントで、これら設備４０を制御するとともに、これら設備４０の状況を示す計測値データ３２を取得する機能を有している。
【００２４】
この設備診断装置１０には、主な機能部として、通信Ｉ／Ｆ部１１、操作入力部１２、画面表示部１３、記憶部１４、診断パラメータ記憶部１４Ａ、データ取得部１５、設備診断部１６、管理ポイント設定部２１、設定編集部２２、周辺情報表示部２３、および他候補情報表示部２４が設けられている。
【００２５】
通信Ｉ／Ｆ部１１は、通信回線Ｌ１を介して施設管理装置３０などの外部装置とデータ通信を行う機能を有している。
操作入力部１２は、キーボードやマウスなどの操作入力装置からなり、オペレータの操作を検出する機能を有している。
画面表示部１３は、ＬＣＤなどの画面表示装置からなり、操作メニューや管理ポイント設定画面など、各機能部から出力されたデータを画面表示する機能を有している。
【００２６】
記憶部１４は、ハードディスクや半導体メモリなどの記憶装置からなり、設備診断処理や管理ポイント設定処理などの各種処理に用いる処理データやプログラムを記憶する機能を有している。
プログラムは、ＣＰＵに読み込まれて実行されることにより、設備診断処理や管理ポイント設定処理などの各種処理を実現するプログラムであり、外部装置や記録媒体から通信Ｉ／Ｆ部１１を介して予め読み込まれ、記憶部１４に格納される。
【００２７】
記憶部１４が記憶する主な処理情報として、施設管理装置３０から取得したポイント情報３１や計測値データ３２のほか、設備の動作状況を診断するための診断ロジック情報や、診断ロジックで参照する計測値データを特定するための診断パラメータがある。
【００２８】
データ取得部１５は、設備診断処理や管理ポイント設定処理を実行する際、通信Ｉ／Ｆ部１１から通信回線Ｌ１を介して施設管理装置３０とデータ通信を行うことにより、施設管理装置３０から、計測値データ３２に加えて、管理ポイントの系統、アドレス、および名称を含むポイント情報３１を取得して記憶部１４に保存する機能を有している。
【００２９】
設備診断部１６は、記憶部１４の計測値データ３２から、診断パラメータと対応する管理ポイントの計測値データを抽出する機能と、これら抽出した計測値データを診断ロジックに基づき集計し、得られた集計結果をその判定基準と比較することにより、設備の動作状況を診断する機能と、改善すべき状況が検知された場合には、画面表示部１３で警報表示して状況解消のための作業を促す機能とを有している。
【００３０】
管理ポイント設定部２１は、操作入力部１２を用いたオペレータによる管理ポイント設定要求操作に応じて、画面表示部１３の管理ポイント設定画面を表示する機能と、その後の管理ポイント設定画面における各種オペレータ操作に応じて、記憶部１４の各診断パラメータに、ポイント情報３１に含まれる管理ポイントのいずれかを紐付けて登録する機能を有している。
【００３１】
具体的には、管理ポイント設定部２１は、対象系統設定操作に応じて、診断パラメータへの設定対象となる管理ポイントの設備４０が属する対象系統の名称を設定する機能と、選択操作に応じて、診断パラメータごとに、ポイント情報３１に含まれる各管理ポイントのうちから、当該対象系統に属する管理ポイントであって、当該管理ポイントで得られた計測値データが当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択する機能とを有している。
【００３２】
さらに、管理ポイント設定部２１は、候補として選択した管理ポイントを、当該診断パラメータと対応付けて管理ポイント設定画面に一覧表示する機能と、登録操作に応じて、管理ポイント設定画面の表示内容に基づき、候補として選択されている管理ポイントを、対応する診断パラメータのそれぞれに紐付けて正式に登録する機能とを有している。
【００３３】
図２は、ポイント情報の構成例である。ここでは、主な属性値として、管理ポイントごとに、アドレス、名称、種別、設備系統、単位などの属性値が登録されている。
このうち、アドレスは、施設管理装置３０が設備４０に設定された当該管理ポイントとデータ通信を行う際に用いるアドレスである。名称は、当該管理ポイントを示す名称であり、一般的な設定ルールに基づき設定されている。種別は、アナログデータ取得ポイント、デジタルデータ取得ポイント、設備ＯＮ／ＯＦＦ発亭ポイント、警報ポイントなど、当該管理ポイントの機能を示す種別情報である。設備系統は、施設内の建物、フロア、区画など、施設の各設備４０を予め区分して設けられている設備の系統情報である。単位は、当該管理ポイントで得られる計測値データの単位を示す情報である。
【００３４】
図３は、診断パラメータの構成例である。ここでは、主な属性値として、診断パラメータごとに、診断パラメータ名、単位、種別、計測値範囲などの属性値が登録されている。
このうち、診断パラメータ名は、当該診断パラメータの名称であり、当該診断パラメータに対応する管理ポイントの名称の全部またはその一部が用いられている。単位は、当該診断パラメータに対応する管理ポイントで得られる計測値データの単位を示す情報である。計測値範囲は、当該診断パラメータに対応する管理ポイントで得られる計測値データの取りうる値範囲である。また、管理ポイント設定処理により、これら診断パラメータに対して、管理ポイントのポイントアドレスやポイント名称が登録される。
【００３５】
設定編集部２２は、管理ポイント設定画面における、操作入力部１２を用いたオペレータによる編集操作に応じて、当該管理ポイント設定画面に表示されている、候補となる管理ポイントを編集・変更する機能を有している。
【００３６】
周辺情報表示部２３は、操作入力部１２を用いたオペレータによる、管理ポイントを指定した周辺情報表示要求操作に応じて、ポイント情報３１に含まれる各管理ポイントのうちから、指定された管理ポイントのポイントアドレスと、上位規定桁数分について等しいポイントアドレスを有する管理ポイントを検索する機能と、検索した管理ポイントの一覧からなる周辺情報を、ポップアップ画面などの補助画面を用いて、画面表示部１３に画面表示する機能とを有している。
【００３７】
他候補情報表示部２４は、操作入力部１２を用いたオペレータによる、管理ポイントを指定した他候補情報表示要求操作に応じて、ポイント情報３１に含まれる各管理ポイントのうちから、指定された管理ポイントのポイント名称と類似するポイント名称を有する管理ポイントを検索する機能と、検索した管理ポイントの一覧からなる他候補情報を、ポップアップ画面などの補助画面を用いて、画面表示部１３に画面表示する機能とを有している。
【００３８】
これら機能部のうち、データ取得部１５、設備診断部１６、管理ポイント設定部２１、設定編集部２２、周辺情報表示部２３、および他候補情報表示部２４は、ＣＰＵが記憶部１４からプログラムを読み込んで実行することにより実現される。
【００３９】
［実施の形態の動作］
次に、図４を参照して、本実施の形態にかかる設備診断装置１０の管理ポイント設定処理について説明する。図４は、管理ポイント設定処理を示すフローチャートである。
【００４０】
設備診断装置１０は、操作入力部１２で検出したオペレータによる管理ポイント設定要求操作に応じて、図４の管理ポイント設定処理を実行する。なお、この管理ポイント設定処理に先だって、施設管理装置３０のポイント情報３１および計測値データ３２が、データ取得部１５により取得されて、記憶部１４に格納されているものとする。また、記憶部１４には、既に各属性値が設定された診断パラメータが登録されているものとする。
【００４１】
まず、管理ポイント設定部２１は、記憶部１４から診断パラメータの各属性値を読み出して、画面表示部１３の管理ポイント設定画面に一覧表示する（ステップ１００）。
図５は、管理ポイント設定画面の表示例である。この管理ポイント設定画面５０は、例えばＨＴＭＬ形式などを用いたＧＵＩ（Graphical User Interface）を実現する各種シンボルを用いて、各診断パラメータに管理ポイントを設定するため各種情報が表示されている。
【００４２】
具体的には、管理ポイント設定画面５０に、設定対象となる管理ポイントの設備系統を設定するための系統名称欄５１、各診断パラメータに対応する管理ポイントを候補として自動選択するための選択ボタン５２、診断パラメータや管理ポイントの属性値を一覧表示するためのリスト表示欄５３が設けられている。
【００４３】
また、管理ポイント設定画面５０には、診断パラメータの候補として表示されている管理ポイントごとに、当該管理ポイントの周辺情報を表示するための周辺情報表示ボタン５４と、当該管理ポイントの他候補情報を表示するための他候補情報表示ボタン５５とが設けられている。
また、管理ポイント設定画面５０には、リスト表示欄５３に候補として選択表示されている管理ポイントを、対応する診断パラメータのそれぞれに紐付けて正式に登録するための登録ボタン５６と、管理ポイント設定画面５０に表示されている内容に基づく管理ポイント設定処理を中止するためのキャンセルボタン５７とが設けられている。
【００４４】
次に、管理ポイント設定部２１は、対象系統設定操作、すなわち系統名称欄５１への系統名称の入力操作に応じて、診断パラメータへの設定対象となる管理ポイントの設備４０が属する対象系統の名称を設定し（ステップ１０１）、その後の選択ボタン５２による選択操作に応じて、ポイント情報３１から各診断パラメータの各属性値と対応する管理ポイントを候補としてそれぞれ選択し（ステップ１０２）、各診断パラメータに対応付けてリスト表示欄５３に表示し（ステップ１０３）、この後、管理ポイント編集ループＬＰに移行する。
【００４５】
管理ポイント編集ループＬＰにおいて、管理ポイント設定画面で、リスト表示欄５３に対する編集操作があった場合（ステップ１１０：ＹＥＳ）、設定編集部２２は、当該編集操作に応じて、管理ポイント設定画面に表示されている、候補となる管理ポイントを編集・変更し（ステップ１１１）、管理ポイント編集ループＬＰに戻る。
【００４６】
また、管理ポイント編集ループＬＰにおいて、管理ポイント設定画面で、周辺情報表示ボタン５４による周辺情報表示要求操作があった場合（ステップ１１２：ＹＥＳ）、周辺情報表示部２３は、周辺情報表示ボタン５４と対応する管理ポイントに関する周辺情報を、ポップアップ画面などの補助画面を用いて、画面表示部１３に画面表示し（ステップ１１３）、管理ポイント編集ループＬＰに戻る。
【００４７】
図６は、周辺情報表示画面の表示例である。この周辺情報表示画面６０には、周辺情報表示ボタン５４と対応する管理ポイントのポイントアドレスと、上位規定桁数分について等しいポイントアドレスを有する管理ポイントがポイント情報３１から検索され、これら管理ポイントのポイントアドレスやポイント名称が、リスト表示欄６１に一覧表示されている。
この周辺情報表示画面６０により、診断パラメータに候補として選択されている管理ポイントについて、近しいアドレスを持つ他の管理ポイントを容易に確認することができ、当該管理ポイントが候補として相応しいか否かを、オペレータが容易に判断することができる。
【００４８】
また、管理ポイント編集ループＬＰにおいて、管理ポイント設定画面で、他候補情報表示ボタン５５による他候補情報表示要求操作があった場合（ステップ１１４：ＹＥＳ）、他候補情報表示部２４は、他候補情報表示ボタン５５と対応する管理ポイントに関する他候補情報を、ポップアップ画面などの補助画面を用いて、画面表示部１３に画面表示し（ステップ１１５）、管理ポイント編集ループＬＰに戻る。
【００４９】
図７は、他候補情報表示画面の表示例である。この他候補情報表示画面７０には、他候補情報表示ボタン５５と対応する管理ポイントのポイント名称と類似するポイント名称を有する管理ポイントがポイント情報３１から検索され、これら管理ポイントのポイントアドレスやポイント名称が、リスト表示欄７１に一覧表示されている。また、管理ポイントごとに、当該管理ポイントを新たな候補として選択するための選択ボタン７２が設けられている。
この他候補情報表示画面７０により、診断パラメータに候補として選択されている管理ポイントについて、近しい名称を持つ他の管理ポイントを容易に確認することができ、当該管理ポイントが候補として相応しいか否かを、オペレータが容易に判断することができ、他の候補を容易に選択することができる。
【００５０】
また、管理ポイント編集ループＬＰにおいて、管理ポイント設定画面で、登録ボタン５６による登録操作があった場合（ステップ１１６：ＹＥＳ）、管理ポイント設定部２１は、管理ポイント設定画面５０のリスト表示欄５３に一覧表示されている表示内容に基づき、候補として選択されている管理ポイントを、対応する診断パラメータのそれぞれに紐付けて、記憶部１４に正式に登録し（ステップ１１７）、一連の管理ポイント設定処理を終了する。
【００５１】
また、管理ポイント編集ループＬＰにおいて、管理ポイント設定画面で、キャンセルボタン５７によりキャンセル操作があった場合（ステップ１１８：ＹＥＳ）、一連の管理ポイント設定処理を終了する。
【００５２】
［実施の形態の効果］
このように、本実施の形態は、管理ポイント設定部２１が、オペレータによる選択操作に応じて、診断パラメータごとに、ポイント情報３１に含まれる各管理ポイントのうちから、当該管理ポイントで得られた計測値データの値範囲が当該診断パラメータの計測値範囲と一致するとともに、当該管理ポイントのポイント種別が当該診断パラメータのポイント種別と一致し、かつ、当該管理ポイントのポイント名称が当該診断パラメータの診断パラメータ名と一致または部分一致する管理ポイントを候補として選択し、これら管理ポイントを当該診断パラメータと対応付けて管理ポイント設定画面に一覧表示し、設定編集部２２が、オペレータによる編集操作に応じて、管理ポイント設定画面に表示した候補となる管理ポイントの属性値を編集し、管理ポイント設定部２１が、オペレータによる登録操作に応じて、管理ポイント設定画面の表示内容に基づき、候補として選択されている管理ポイントを、対応する診断パラメータのそれぞれに紐付けて登録するようにしたものである。
【００５３】
これにより、施設管理装置３０から取得したポイント情報３１のうちから、診断パラメータで指定された、計測値範囲およびポイント種別など、属性値として偶然性が含まれておらずまた計装工事の性質も反映されていない物理属性と、管理ポイントのポイント名称や、当該管理ポイントで得られるデータの単位など、属性値として偶然性が含まれるとともに計装工事の性質も反映されている計装属性との組合せに基づいて、診断パラメータと対応する管理ポイントが自動的に選択される。
したがって、これら管理ポイントの物理属性と計装属性との組合せにより、管理ポイントを正確に選択することができ、大規模な施設であっても、管理ポイント設定時の作業負担および設定ミスを低減することが可能となる。
【００５４】
また、本実施の形態において、周辺情報表示部２３を設け、オペレータによる周辺情報表示要求操作に応じて、ポイントアドレスが、上位規定桁数分について、当該周辺情報表示要求操作で指定された管理ポイントのポイントアドレスと等しい管理ポイントを、ポイント情報３１から検索し、得られた管理ポイントの一覧を当該管理ポイントの周辺情報として、ポップアップ表示するようにしてもよい。
これにより、診断パラメータに候補として選択されている管理ポイントについて、近しいアドレスを持つ他の管理ポイントを容易に確認することができ、当該管理ポイントが候補として相応しいか否かを、オペレータが容易に判断することができる。
【００５５】
また、本実施の形態において、他候補情報表示部２４を設け、オペレータによる他候補情報表示要求操作に応じて、当該他候補情報表示要求操作で指定された管理ポイントのポイント名称と類似するポイント名称を有する管理ポイントをポイント情報３１から検索し、得られた管理ポイントの一覧を当該管理ポイントの他候補情報として、ポップアップ表示するようにしてもよい。
これにより、診断パラメータに候補として選択されている管理ポイントについて、近しい名称を持つ他の管理ポイントを容易に確認することができ、当該管理ポイントが候補として相応しいか否かを、オペレータが容易に判断することができ、他の候補を容易に選択することができる。
【００５６】
また、本実施の形態において、管理ポイント設定部２１が、対象系統設定操作に応じて、診断パラメータへの設定対象となる管理ポイントの設備４０が属する対象系統の名称を設定し、診断パラメータと対応する管理ポイントを自動選択する際、当該対象系統に属する管理ポイントから選択するようにしもよい。
これにより、より精度よく診断パラメータと対応する管理ポイントを自動選択することができる。
【００５７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００５８】
１０…設備診断装置、１１…通信Ｉ／Ｆ部、１２…操作入力部、１３…画面表示部、１４…記憶部、１５…データ取得部、１６…設備診断部、２１…管理ポイント設定部、２２…設定編集部、２３…周辺情報表示部、２４…他候補情報表示部、３０…施設管理装置、３１…ポイント情報、３２…計測値データ、４０…設備、Ｌ１，Ｌ３…通信回線。
【図１】
2014041400.tif 000003
【図２】
2014041400.tif 000004
【図３】
2014041400.tif 000005
【図４】
2014041400.tif 000006
【図５】
2014041400.tif 000007
【図６】
2014041400.tif 000008
【図７】
2014041400.tif 000009